(57)【要約】  【課題】利用者が適切な検索条件を探し出すことを支援することにより、熟練度の低い利用者であっても検索することができ、従来よりも精度の高い検索を行うことができるデータ検索装置を提供する。  【解決手段】利用者が設定する検索条件に基づいてデータベースに記録された複数のデータファイルから所望のデータファイルを検索するデータ検索装置であって、データベースに記録された複数のデータファイルはそれぞれデータファイルの内容を知る手がかりとなる検索キーを複数含み、検索条件を受付けデータベースから検索条件を満たすデータファイルを検索する特許情報検索部２３と、検索されたデータファイルから検索キーを抽出する検索キー抽出部２５とを備え、特許情報検索部２３は、さらに、データベースから、検索キー抽出部２５により抽出された検索キーの一部又は全部を含むデータファイルを検索することを特徴とする。  【選択図】  図２
2004158002.tif 000002
【特許請求の範囲】
【請求項１】
利用者が設定する検索条件に基づいて、データベースに記録された複数のデータファイルから、所望のデータファイルを検索するデータ検索装置であって、
前記データベースに記録された複数のデータファイルはそれぞれ、当該データファイルの内容を知る手がかりとなる検索キーを複数含み、
利用者から、検索条件を受付ける受付け手段と、
前記データベースから、受付け手段により受付けられた検索条件を満たすデータファイルを検索する検索手段と、
検索手段により検索されたデータファイルから、検索キーを抽出する抽出手段とを備え、
前記検索手段は、さらに、
前記データベースから、抽出手段により抽出された検索キーの一部又は全部を含むデータファイルを検索すること
を特徴とするデータ検索装置。
【請求項２】
前記抽出手段は、
前記検索手段により検索されたデータファイルの概要の一覧を表示する概要表示手段と、
概要表示手段により表示された一覧を利用者に参照させることにより、利用者にデータファイルを選択させるファイル選択手段と、
ファイル選択手段により選択されたデータファイルから、検索キーを抽出する選択的抽出手段とを含むこと
を特徴とする請求項１に記載のデータ検索装置。
【請求項３】
前記ファイル選択手段は、
要表示手段により表示された一覧から、データファイルの選択を、１個ずつ利用者から受け付けた後、選択された全てのデータファイルについて、検索キーの抽出対象とする指示、及び、出力対象とする指示のいずれかを利用者から受け付け、
前記選択的抽出手段は、
ファイル選択手段において検索キーの抽出対象とする指示が受け付けられた場合に、選択されたデータファイルから、検索キーを抽出し、
前記検索手段は、さらに、
ファイル選択手段において１つ又は幾つかのデータファイルの選択が受け付けられる毎に、選択されたデータファイルを読み出して保持し、
当該データ検索装置は、さらに、
ファイル選択手段において出力対象とする指示が受け付けられた場合に、検索手段に保持されたデータファイルを出力する結果出力手段を含むこと
を特徴とする請求項２に記載のデータ検索装置。
【請求項４】
前記検索キーは、項目毎に分類されており、
前記選択的抽出手段は、
ファイル選択手段により選択されたデータファイルから、項目別に検索キーを抽出し、
前記検索手段は、
抽出手段により抽出された項目別の検索キーの一覧を表示する検索キー表示手段と、
検索キー表示手段により表示された一覧を利用者が参照することにより、利用者に検索キーを選択させる検索キー選択手段と、
前記データベースから、検索キー選択手段により選択させた検索キーの一部又は全部を含むデータファイルを検索する選択的検索手段とを含むこと
を特徴とする請求項２に記載のデータ検索装置。
【請求項５】
前記検索キーは、項目毎に分類されており、
前記抽出手段は、
検索手段により検索されたデータファイルから、項目別に検索キーを抽出し、
前記検索手段は、
抽出手段により抽出された項目別の検索キーの一覧を表示する検索キー表示手段と、
検索キー表示手段により表示された一覧を利用者が参照することにより、利用者に検索キーを選択させる検索キー選択手段と、
前記データベースから、検索キー選択手段により選択させた検索キーの一部又は全部を含むデータファイルを検索する選択的検索手段とを含むこと
を特徴とする請求項１に記載のデータ検索装置。
【請求項６】
当該データ検索装置は、特許情報を検索するものであり、
前記検索キーは、キーワードを含み、
前記検索手段は、前記データベースから、キーワードを含む特許情報を検索し、
前記抽出手段は、検索手段により検索された特許情報から、頻出キーワードを抽出し、
前記検索手段は、さらに、
前記データベースから、抽出手段により抽出された頻出キーワードの一部又は全部を含む特許情報を検索すること
を特徴とする請求項１に記載のデータ検索装置。
【請求項７】
当該データ検索装置は、特許情報を検索するものであり、
前記検索キーは、ＩＰＣ（Internationl Patent Classification）を含み、
前記検索手段は、前記データベースから、ＩＰＣを含む特許情報を検索し、
前記抽出手段は、検索手段により検索された特許情報から、ＩＰＣを抽出し、
前記検索手段は、さらに、
前記データベースから、抽出手段により抽出されたＩＰＣの一部又は全部を含む特許情報を検索すること
を特徴とする請求項１に記載のデータ検索装置。
【請求項８】
当該データ検索装置は、特許情報を検索するものであり、
前記検索キーは、Ｆターム（File Forming Term）を含み、
前記検索手段は、前記データベースから、Ｆタームを含む特許情報を検索し、
前記抽出手段は、検索手段により検索された特許情報から、Ｆタームを抽出し、
前記検索手段は、さらに、
前記データベースから、抽出手段により抽出されたＦタームの一部又は全部を含む特許情報を検索すること
を特徴とする請求項１に記載のデータ検索装置。
【請求項９】
当該データ検索装置は、特許情報を検索するものであり、
前記検索キーは、ＩＰＣ（Internationl Patent Classification）、Ｆターム（File Forming Term）、及び、キーワードを含み、
前記受付け手段は、
利用者から、１つ以上のＩＰＣ、Ｆターム、及び、キーワードを検索キーとして受付け、
前記検索手段は、前記データベースから、受付け手段により受付けられた検索キーを含む特許情報を検索し、
前記抽出手段は、前記検索手段により検索された特許情報から、ＩＰＣ、Ｆターム、及び、頻出キーワードを抽出して検索キーとし、
前記検索手段は、さらに、
前記データベースから、抽出手段により抽出された検索キーの一部又は全部を含む特許情報を検索すること
を特徴とする請求項１に記載のデータ検索装置。
【請求項１０】
利用者が設定する検索条件に基づいて、データベースに記録された複数のデータファイルから、所望のデータファイルを検索するデータ検索方法であって、
前記データベースに記録された複数のデータファイルはそれぞれ、当該データファイルの内容を知る手がかりとなる検索キーを複数含み、
利用者から、検索条件を受付ける受付けステップと、
前記データベースから、受付けステップにより受付けられた検索条件を満たすデータファイルを検索する検索ステップと、
検索ステップにより検索されたデータファイルから、検索キーを抽出する抽出ステップとを含み、
前記検索ステップは、さらに、
前記データベースから、抽出手段により抽出された検索キーの一部又は全部を含むデータファイルを検索すること
を特徴とするデータ検索方法。
【請求項１１】
利用者が設定する検索条件に基づいて、データベースに記録された複数のデータファイルから、所望のデータファイルを検索するデータ検索プログラムであって、
前記データベースに記録された複数のデータファイルはそれぞれ、当該データファイルの内容を知る手がかりとなる検索キーを複数含み、
コンピュータに、
利用者から、検索条件を受付ける受付けステップと、
前記データベースから、受付けステップにより受付けられた検索条件を満たすデータファイルを検索する検索ステップと、
検索ステップにより検索されたデータファイルから、検索キーを抽出する抽出ステップとを実行させ、
前記検索ステップは、さらに、
前記データベースから、抽出手段により抽出された検索キーの一部又は全部を含むデータファイルを検索すること
を特徴とするデータ検索プログラム。
【発明の詳細な説明】
【技術分野】
【０００１】
本発明は、各種情報を検索するデータ検索装置に関し、特に、検索作業を効率化するための技術に関する。
【背景技術】
【０００２】
各種情報を検索するデータ検索装置では、一般に利用者が番号やキーワード等の検索条件を入力し、入力した番号に合致するデータファイルや、入力したキーワードが含まれるデータファイルを検索する。
例えば、特許情報の検索システムにおいては、特許、実用新案、意匠、商標といった四法区分を示す種別、ＩＰＣ（Internationl Patent Classificationの略称、国際特許分類、第７版によれば分類数68,591）、ＦＩ（File Indexの略称、国際特許分類をさらに細展開した特許庁内分類、１年程度の間隔で更新される）、Ｆターム（File Forming Termの略称、機械検索用に開発された技術分類、分類数20万以上）、出願番号、公開番号、国際出願番号、国際公開番号、公表番号、公告番号、登録番号、優先権主張番号、関連出願番号、審判番号、出願日、公開日、登録日、発明者氏名、出願人氏名、各権利者氏名、発明の名称、キーワード等の数多くの検索条件の項目がある。
【０００３】
ここで特許情報とは、特許、実用新案、意匠、商標のそれぞれに関する各種公報や文献、外国公報、審決公報、及び経過情報等の知的所有権に関する有用な情報を含むものとする。
データ検索装置においては、適切な検索条件を探し出すことが肝要であり、検索条件が適切でなければ、所望のデータファイルを検索することができない。
【０００４】
例えば、膨大な数のデータファイルの中から所望のデータファイルを検索する場合において、利用者が検索条件を設定して検索し、その検索結果に基づいて新たな検索条件を生成する作業を、繰り返し試行錯誤しながら実行しなければならないケースが少なくないものと想定される。
また、従来の検索システムとして、データベースの検索結果を利用者毎に記録し、記録した情報を利用者毎に分類整理して見せることができる特許情報の検索システムが特許文献１に公開されている。
【特許文献１】特開２０００−１２３０２１号公報
【発明の開示】
【発明が解決しようとする課題】
【０００５】
しかしながら、従来のデータ検索装置においては、適切な検索条件を探し出すための有効な手段が充実しているとは言い難い。
また、特許情報の検索システムの利用者は、特許事務を主たる業務とするような熟練度の高い者ばかりではなく、たまに出願する発明者のように熟練度の低い者も多い。
膨大な数のデータファイルの中から所望のデータファイルを精度よく検索するのは、熟練度の高い利用者であっても困難な作業であり、熟練度の低い利用者ではまともに検索することすら困難な場合がある。
【０００６】
例えば、特許情報の検索システムにおいて、熟練度の低い利用者はＩＰＣ、ＦＩ、Ｆターム等の分類記号についてあまり詳しくないので、熟練度の低い利用者によってこれらの分類記号が検索条件として用いられることはほとんどなく、キーワードによる検索が主になっているものと考えられ、また、熟練度の高い利用者であっても、これらの分類記号はその分類数が数万から数十万もあり、分類記号の全てを知り尽くしている者など到底いないので、分類記号が検索条件として十分に使いこなされているとは到底言い難い。
【０００７】
そこで、本発明は、利用者が適切な検索条件を探し出すことを支援することにより、熟練度の低い利用者であっても検索することができ、従来よりも精度の高い検索を行うことができるデータ検索装置、データ検索方法、及び、データ検索プログラムを提供することを目的とする。
【課題を解決するための手段】
【０００８】
上記目的を達成するために、本発明に係るデータ検索装置は、利用者が設定する検索条件に基づいてデータベースに記録された複数のデータファイルから所望のデータファイルを検索するデータ検索装置であって、前記データベースに記録された複数のデータファイルはそれぞれ当該データファイルの内容を知る手がかりとなる検索キーを複数含み、利用者から検索条件を受付ける受付け手段と、前記データベースから受付け手段により受付けられた検索条件を満たすデータファイルを検索する検索手段と、検索手段により検索されたデータファイルから検索キーを抽出する抽出手段とを備え、前記検索手段は、さらに、前記データベースから抽出手段により抽出された検索キーの一部又は全部を含むデータファイルを検索することを特徴とする。
【０００９】
上記目的を達成するために、本発明に係るデータ検索方法は、利用者が設定する検索条件に基づいてデータベースに記録された複数のデータファイルから所望のデータファイルを検索するデータ検索方法であって、前記データベースに記録された複数のデータファイルはそれぞれ当該データファイルの内容を知る手がかりとなる検索キーを複数含み、利用者から検索条件を受付ける受付けステップと、前記データベースから受付けステップにより受付けられた検索条件を満たすデータファイルを検索する検索ステップと、検索ステップにより検索されたデータファイルから検索キーを抽出する抽出ステップとを含み、前記検索ステップは、さらに、前記データベースから抽出手段により抽出された検索キーの一部又は全部を含むデータファイルを検索することを特徴とする。
【００１０】
上記目的を達成するために、本発明に係るデータ検索プログラムは、利用者が設定する検索条件に基づいてデータベースに記録された複数のデータファイルから所望のデータファイルを検索するデータ検索プログラムであって、前記データベースに記録された複数のデータファイルはそれぞれ当該データファイルの内容を知る手がかりとなる検索キーを複数含み、コンピュータに、利用者から検索条件を受付ける受付けステップと、前記データベースから受付けステップにより受付けられた検索条件を満たすデータファイルを検索する検索ステップと、検索ステップにより検索されたデータファイルから検索キーを抽出する抽出ステップとを実行させ、前記検索ステップは、さらに、前記データベースから抽出手段により抽出された検索キーの一部又は全部を含むデータファイルを検索することを特徴とする。
【発明の効果】
【００１１】
課題を解決するための手段に記載した構成によって、検索したデータファイルから検索キーを抽出して、再び、抽出した検索キーに基づいてデータファイルを検索するので利用者が適切な検索条件を探し出すことを支援することができる。
従って、熟練度の低い利用者であっても検索することができ、従来よりも精度の高い検索を行うことができる。
【００１２】
また、この操作を繰り返すことによって、検索結果を絞り込むことや検索漏れを減らすことができるので、検索精度が高くなり所望のデータファイルを検索し易くなる。
例えば、特許情報の検索システムにおいて、ＩＰＣ、ＦＩ、Ｆターム等の分類記号に詳しくない熟練度の低い利用者であっても、一旦キーワード等で検索したデータファイルから検索キーとしてこれら分類記号を抽出して、これら分類記号に基づいて再びデータファイルを検索することができ、また熟練度の高い利用者であっても、自分が知らない分類記号に基づいてデータファイルを検索することができるので、分類記号を検索条件としてに使いこなすことができる。
【００１３】
また、データ検索装置において、前記抽出手段は、前記検索手段により検索されたデータファイルの概要の一覧を表示する概要表示手段と、概要表示手段により表示された一覧を利用者に参照させることにより利用者にデータファイルを選択させるファイル選択手段と、ファイル選択手段により選択されたデータファイルから検索キーを抽出する選択的抽出手段とを含むことを特徴とすることもできる。
【００１４】
これによって、利用者が所望するデータファイルのみから検索キーを抽出することができるので、適切な検索条件を探し出し易くなる。
また、検索されたデータファイルの概要の一覧を表示して、その中から利用者にデータファイルを選択させるという簡単な操作により所望するデータファイルを入力することができるので、作業性がよく検索条件の絞込が簡易であり、熟練度の低い利用者であっても簡単に検索条件を設定できる。
【００１５】
また、データ検索装置において、前記ファイル選択手段は、要表示手段により表示された一覧からデータファイルの選択を１個ずつ利用者から受け付けた後選択された全てのデータファイルについて検索キーの抽出対象とする指示及び出力対象とする指示のいずれかを利用者から受け付け、前記選択的抽出手段は、ファイル選択手段において検索キーの抽出対象とする指示が受け付けられた場合に選択されたデータファイルから検索キーを抽出し、前記検索手段は、さらに、ファイル選択手段において１つ又は幾つかのデータファイルの選択が受け付けられる毎に、選択されたデータファイルを読み出して保持し、当該データ検索装置は、さらに、ファイル選択手段において出力対象とする指示が受け付けられた場合に検索手段に保持されたデータファイルを出力する結果出力手段を含むことを特徴とすることもできる。
【００１６】
これによって、出力対象となる可能性があるデータファイルを、出力対象とする指示を受け付ける前に予め検索して保持しておくことができるので、出力対象とする指示を受け付けてからデータファイルが出力されるまでの利用者の待ち時間を短縮することができる。
また、データ検索装置において、前記検索キーは項目毎に分類されており、前記選択的抽出手段は、ファイル選択手段により選択されたデータファイルから項目別に検索キーを抽出し、前記検索手段は、抽出手段により抽出された項目別の検索キーの一覧を表示する検索キー表示手段と、検索キー表示手段により表示された一覧を利用者が参照することにより利用者に検索キーを選択させる検索キー選択手段と、前記データベースから検索キー選択手段により選択させた検索キーの一部又は全部を含むデータファイルを検索する選択的検索手段とを含むことを特徴とすることもできる。
【００１７】
また、データ検索装置において、前記検索キーは項目毎に分類されており、前記抽出手段は、検索手段により検索されたデータファイルから項目別に検索キーを抽出し、前記検索手段は、抽出手段により抽出された項目別の検索キーの一覧を表示する検索キー表示手段と、検索キー表示手段により表示された一覧を利用者が参照することにより利用者に検索キーを選択させる検索キー選択手段と、前記データベースから検索キー選択手段により選択させた検索キーの一部又は全部を含むデータファイルを検索する選択的検索手段とを含むことを特徴とすることもできる。
【００１８】
これによって、利用者が所望する検索キーのみを含むデータファイルを検索することができるので、適切な検索条件を探し出し易くなる。
また、抽出された項目別の検索キーの一覧を表示して、その中から利用者に検索キーを選択させるという簡単な操作により検索キーを入力することができるので、作業性がよく検索条件の絞込が簡易であり、熟練度の低い利用者であっても簡単に検索条件を設定できる。
【００１９】
また、データ検索装置において、当該データ検索装置は特許情報を検索するものであり、前記検索キーはキーワードを含み、前記検索手段は、前記データベースからキーワードを含む特許情報を検索し、前記抽出手段は、検索手段により検索された特許情報から頻出キーワードを抽出し、前記検索手段は、さらに、前記データベースから抽出手段により抽出された頻出キーワードの一部又は全部を含む特許情報を検索することを特徴とすることもできる。
【００２０】
これによって、キーワードを含む特許情報を検索し、検索された特許情報から頻出キーワードを抽出し、抽出された頻出キーワードの一部又は全部を含む特許情報を検索することができるので、所望する特許情報に関連するキーワードを漏らしにくい。
また、データ検索装置において、当該データ検索装置は特許情報を検索するものであり、前記検索キーはＩＰＣ（Internationl Patent Classification）を含み、前記検索手段は、前記データベースからＩＰＣを含む特許情報を検索し、前記抽出手段は、検索手段により検索された特許情報からＩＰＣを抽出し、前記検索手段は、さらに、前記データベースから抽出手段により抽出されたＩＰＣの一部又は全部を含む特許情報を検索することを特徴とすることもできる。
【００２１】
これによって、ＩＰＣを含む特許情報を検索し、検索された特許情報からＩＰＣを抽出し、抽出されたＩＰＣの一部又は全部を含む特許情報を検索することができるので、所望する特許情報に関連するＩＰＣを漏らしにくい。
また、データ検索装置において、当該データ検索装置は特許情報を検索するものであり、前記検索キーはＦターム（File Forming Term）を含み、前記検索手段は、前記データベースからＦタームを含む特許情報を検索し、前記抽出手段は、検索手段により検索された特許情報からＦタームを抽出し、前記検索手段は、さらに、前記データベースから抽出手段により抽出されたＦタームの一部又は全部を含む特許情報を検索することを特徴とすることもできる。
【００２２】
これによって、Ｆタームを含む特許情報を検索し、検索された特許情報からＦタームを抽出し、抽出されたＦタームの一部又は全部を含む特許情報を検索することができるので、所望する特許報に関連するＦタームを漏らしにくい。
また、データ検索装置において、当該データ検索装置は特許情報を検索するものであり、前記検索キーは、ＩＰＣ（Internationl Patent Classification）、Ｆターム（File Forming Term）、及び、キーワードを含み、前記受付け手段は、利用者から、１つ以上のＩＰＣ、Ｆターム、及び、キーワードを検索キーとして受付け、前記検索手段は、前記データベースから受付け手段により受付けられた検索キーを含む特許情報を検索し、前記抽出手段は、前記検索手段により検索された特許情報から、ＩＰＣ、Ｆターム、及び、頻出キーワードを抽出して検索キーとし、前記検索手段は、さらに、前記データベースから抽出手段により抽出された検索キーの一部又は全部を含む特許情報を検索することを特徴とすることもできる。
【００２３】
これによって、ＩＰＣ、Ｆターム、及び、キーワードを含む特許情報を検索し、検索された特許情報からＩＰＣ、Ｆターム、及び、頻出キーワードを抽出し、抽出されたＩＰＣ、Ｆターム、及び、頻出キーワードの一部又は全部を含む特許情報を検索することができるので、所望する特許情報に関連するＩＰＣ、Ｆターム、及び、キーワードを漏らしにくい。
【発明を実施するための最良の形態】
【００２４】
（実施の形態）
＜概要＞
本発明の実施の形態に係る検索システムは、特許情報の検索システムであって、利用者が検索条件を設定して特許情報を検索し、一旦検索した特許情報から検索キーを抽出して、これを用いて再び特許情報を検索することができ、これによって適切な検索条件を比較的容易に探し出すことができる。
【００２５】
＜構成＞
図１は、本発明の実施の形態の検索システムを含むネットワークの概略を示す図である。
図１に示すネットワークは、外付けハードディスク１、Ｗｅｂサーバ２、イントラネット３、利用者コンピュータ４、利用者コンピュータ５を含む。
【００２６】
外付けハードディスク１は、特許情報実体データ等の各種データを記録している。
Ｗｅｂサーバ２は、利用者コンピュータ４、又は、利用者コンピュータ５からの検索指示に基づいて、外付けハードディスク１に記録された特許情報実体データを検索して検索指示元へ送信する、検索サービスを提供する側が管理するコンピュータである。
イントラネット３は、特定企業内等の限られた利用者間を接続するローカルネットワークである。
【００２７】
利用者コンピュータ４、及び、利用者コンピュータ５は、利用者が直接データ等を入出力するために用いられるＷｅｂブラウザである。
図２は、本発明の実施の形態の検索システムの詳細な構成を示す図である。
図２に示す検索システムは、特許情報実体データ記録部１０、検索サービス提供装置２０、ネットワーク部３０、利用者装置４０を含む。
【００２８】
特許情報実体データ記録部１０は、不揮発性の記録媒体を備える外付けハードディスク等の記録媒体であり、特許情報の実体データを記録するデータベースである。
ここで、特許情報実体データ記録部１０に記録された特許情報の実体データは、データファイル毎に当該データファイルを特徴付け当該データファイルの内容を知る手がかりとなる検索キーを複数含んでおり、例えば、特許情報の実体データの１つである特許情報は、四法区分を示す種別、ＩＰＣ、ＦＩ、Ｆターム、出願番号、公開番号、国際出願番号、国際公開番号、公表番号、公告番号、登録番号、優先権主張番号、関連出願番号、審判番号、出願日、公開日、登録日、発明者氏名、出願人氏名、各権利者氏名、発明の名称、キーワード等の各項目毎の検索キーを含んでいる。
【００２９】
図３は、特許情報実体データ記録部１０に記録されたデータベースの概要の一例を示す図である。
図３に示すデータベースは、出願特許１件を１レコードとし、出願番号、出願日、登録番号、登録日、発明の名称、出願人名、ＩＰＣ、Ｆターム、要約、特許請求の範囲、全文等をフィールドとし、それぞれのデータが該当するフィールドに記録されている。なお、特許情報実体データ記録部１０に記録されたデータベースに含まれるフィールドは図３に例示したフィールドだけではなく、実際には優先日や審査請求日等の書誌情報、及び、業務担当者名や費用等の管理情報のフィールドも含んでいる。
【００３０】
図４は、特許情報実体データ記録部１０に記録された特許情報の表示例を示す図である。
検索サービス提供装置２０は、検索サービスを提供する側が管理するＷｅｂサーバであり、ユーザ認証部２１、記載欄表示指示部２２、特許情報検索部２３、概要一覧生成部２４、検索キー抽出部２５、検索キー一覧生成部２６を備える。
【００３１】
ネットワーク部３０は、イントラネット等のネットワークであり、検索サービス提供装置２０と利用者装置４０とを通信可能に接続する。
利用者装置４０は、利用者が直接データ等を入出力するために用いるＷｅｂブラウザであり、ユーザＩＤ入力部４１、記載欄表示部４２、検索条件入力部４３、概要一覧表示部４４、ファイル選択部４５、検索キー一覧表示部４６、検索キー選択部４７、検索結果出力部４８を備える。
【００３２】
ユーザ認証部２１は、ユーザＩＤ入力部４１からユーザＩＤを受信して利用者の認証を行い、正しいと認証した場合には記載欄表示指示部２２に起動を許可し、正しいと認証しなかった場合はその旨を返信する。
記載欄表示指示部２２は、ユーザ認証部２１により起動を許可された場合に、記載欄表示部４２へ検索条件記載欄の表示を指示する。
【００３３】
特許情報検索部２３は、検索条件入力部４３から検索条件を示すデータを受信して、検索条件に合致した特許情報を特許情報実体データ記録部１０から検索して概要一覧生成部２４に渡し、検索された特許情報の件数を検索条件式毎にカウントして検索条件入力部４３へ返信し、またファイル選択部４５から出力対象である特許情報を示す出力対象識別情報を受信して、当該特許情報を検索して検索結果出力部４８に送信する。
【００３４】
図５（ａ）は、検索条件入力部４３により送信される検索条件を示すデータの概要を示す図である。
図５（ａ）に示すように、検索条件入力部４３により送信される検索条件を示すデータは、式Ｎｏ．“Ｓ００１”“Ｓ００２”“Ｓ００３”、データ型“ＣＯＤＥ”“ＣＯＤＥ”“ＴＥＸＴ”、検索項目名“ＩＰＣ”“Ｆターム”“要約”、検索条件式“＠Ｂ６１？＋Ｂ６０？”“＠２Ｂ０４１？＋２Ｂ０４０？”“＠？運送？＊？貨物？”等からなり、このデータには件数が入っていない。
【００３５】
図５（ｂ）は、特許情報検索部２３により送信される件数を含むデータの概要を示す図である。
図５（ｂ）に示すように、特許情報検索部２３により送信される件数を含むデータは、図５（ａ）に示したデータに、検索条件式毎の件数“１３２２０１”“７６”“２７”が追加されたものである。
【００３６】
概要一覧生成部２４は、特許情報検索部２３により検索された特許情報の概要一覧を示すデータを生成して概要一覧表示部４４に送信する。
図６（ａ）は、概要一覧生成部２４により送信される特許情報の概要一覧を示すデータの概要を示す図である。
図６（ａ）に示すように、概要一覧生成部２４により送信される特許情報の概要一覧を示すデータは、Ｎｏ．“１”“２”“３”、文献番号“Ｕ１９９４００１０６６”“Ｐ１９９６２２３７０２”“Ｐ１９９６３１８７８１”、マーク“０”“０”“０”、出願人“近畿イシコ株式会社”“近畿車輛株式会社”“株式会社北村製作所”、ＩＰＣ“Ｂ６０Ｓ  ９／２０”“Ｂ６１  ６／２４”“Ｂ６０Ｐ  ７／０６”、頻出キーワード“走行幅  幅変更”“パンタグラフカバー”“荷崩れ  防止”等からなる。
【００３７】
図６（ｂ）は、ファイル選択部４５により送信される抽出対象識別情報及び出力対象識別情報の概要を示す図である。
図６（ｂ）に示すように、ファイル選択部４５により送信される抽出対象識別情報及び出力対象識別情報は、図６（ａ）に示したデータのマークが“０”“１”“１”に変更されたものである。
【００３８】
ここで利用者が、１個ずつチェック欄にマークを付けて特許情報を選択した後に、抄録表示のアイコン、公報表示のアイコン、及び、オプションのアイコンのいずれかをクリックすることによって、選択した特許情報が出力対象であるのか検索キーの抽出対象なのかが決定される。
従って、利用者がチェック欄にマークを付けた時点においては、利用者装置は選択されている特許情報が出力対象であるのか検索キーの抽出対象であるのかがわからない。
【００３９】
しかしながら、特許情報の検索をアイコンが押されてからまとめて開始すると、選択数が多い場合に検索に時間がかかり利用者を待たせてしまう事になり、使い勝手が悪い。
そこで、１つ又は幾つかの特許情報が利用者により選択される度等にファイル選択部４５から特許情報検索部２３へ出力対象識別情報を送信し、特許情報検索部２３がアイコンが押される前に選択された特許情報の検索を予め行い、検索サービス提供装置２０内の汎用メモリ等に保持しておくか、又は利用者装置４０に送信して保持させておくことによって、アイコンが押されてから特許情報が出力されるまでの利用者の待ち時間を短縮してもよい。
【００４０】
検索キー抽出部２５は、ファイル選択部４５から抽出対象識別情報を受信して、当該抽出対象識別情報により示される特許情報から検索キーを抽出する。例えば検索キー抽出部２５は、ＩＰＣ、Ｆターム、要約（キーワード）のそれぞれの項目毎に、使用数が多い方から１０個ずつ検索キーを抽出する。ここで、検索キー一覧生成部２６には不要語辞書が備えられており、要約や全文等のキーワードに関する検索キーを抽出する際に、“請求項”“実施”“するために”“装置”等の特許情報に頻出しかつ意味のないストップワードが排除されている。
【００４１】
検索キー一覧生成部２６は、検索キー抽出部２５により抽出された検索キーの一覧を示すデータを生成して検索キー一覧表示部４６に送信する。例えば検索キー一覧生成部２６は、ＩＰＣ、Ｆターム、要約のそれぞれの項目毎に、使用数が多い順に１から１０までの番号を付した１位から１０位までの一覧を示すデータを生成する。
図７（ａ）は、検索キー一覧生成部２６により送信される検索キーの一覧を示すＩＰＣに関するデータの概要を示す図である。
【００４２】
図７（ｂ）は、検索キー一覧生成部２６により送信される検索キーの一覧を示すＦタームに関するデータの概要を示す図である。
図７（ｃ）は、検索キー一覧生成部２６により送信される検索キーの一覧を示す要約に関するデータの概要を示す図である。
図７（ａ）に示すように、検索キー一覧生成部２６により送信される検索キーの一覧を示すＩＰＣに関するデータは、順位１〜１０、各ＩＰＣ、及び、ヒット率からなる。ここでＩＰＣに関するヒット率は、抽出対象の特許情報の中で該当するＩＰＣが含まれている特許情報の数を、抽出対象の特許情報の総数で除算してパーセント表示したものである。
【００４３】
図７（ｂ）に示すように、検索キー一覧生成部２６により送信される検索キーの一覧を示すＦタームに関するデータは、順位１〜１０、各Ｆターム、及び、ヒット率からなる。ここでＦタームに関するヒット率は、抽出対象の特許情報の中で該当するＦタームが含まれている特許情報の数を、抽出対象の特許情報の総数で除算してパーセント表示したものである。
【００４４】
図７（ｃ）に示すように、検索キー一覧生成部２６により送信される検索キーの一覧を示す要約に関するデータは、順位１〜１０、各要約中のパスワード、及び、ヒット率からなる。ここで要約に関するヒット率は、抽出対象の特許情報の中で、要約に該当するキーワードが含まれている特許情報の数を、抽出対象の特許情報の総数で除算してパーセント表示したものである。
【００４５】
ユーザＩＤ入力部４１は、利用者からユーザＩＤの入力を受付け、検索サービス提供装置２０に送信し、正規の利用者であると認証されなかった旨の返信を受けた場合はその旨を利用者に表示する。
記載欄表示部４２は、記載欄表示指示部２２から検索条件記載欄の表示を指示されると、検索条件記載欄を表示して利用者に記入を促す。
【００４６】
図８は、記載欄表示部４２により利用者装置４０のモニター（図示せず）上に検索条件記載欄のウィンドゥが表示された例を示す図である。
検索条件入力部４３は、利用者からの検索条件の入力を受付け、受付けた検索条件を示すデータを特許情報検索部２３に送信し、また、検索条件に合致した特許情報の件数を特許情報検索部２３から受信して記載欄表示部４２に渡し、検索条件記載欄に件数を追加表示させる。
【００４７】
ここでは、検索条件に合致した特許情報の件数が追加された検索条件を示すデータが、特許情報検索部２３から検索条件入力部４３へ送信され、このデータが検索条件記載欄に上書きされることにより、件数が追加表示される。
例えば利用者は、図８に示す検索条件記載欄５１を参照して、検索条件記載欄５１に、検索項目（ここではＩＰＣ、Ｆターム、及び、要約）別に検索条件式を記入することにより検索条件を入力する。
【００４８】
概要一覧表示部４４は、概要一覧生成部２４より特許情報の概要一覧を示すデータを受信して当該概要一覧を表示し、利用者に選択を促す。
図９は、概要一覧表示部４４により利用者装置４０のモニター上に概要一覧のウィンドゥが表示された例を示す図である。
図９では、図７に示すような検索条件記載欄５１のウィンドゥが表示されているモニター上に、概要一覧５２のウィンドゥが表示された場面を示しており、利用者は両方のウィンドゥを同一モニター上で参照しながら、マウス等で操作ウィンドゥを切り替えることができる。
【００４９】
ファイル選択部４５は、利用者から検索キーの抽出対象である特許情報の選択を受付けて、検索キーの抽出対象である特許情報を示す抽出対象識別情報を検索キー抽出部２５に送信し、さらに、出力対象である特許情報の選択を受付けて、出力対象である特許情報を示す出力対象識別情報を特許情報検索部２３に送信する。
例えば利用者は、図９に示す概要一覧５２を参照して、概要一覧５２中のチェック欄にマウス等でマークを付けて特許情報を選択する。
【００５０】
検索キー一覧表示部４６は、検索キー一覧生成部２６から検索キー一覧を示すデータを受信して当該検索キー一覧を表示し、利用者に選択を促す。
図１０は、検索キー一覧表示部４６により利用者装置４０のモニター上に検索キー一覧のウィンドゥが表示された例を示す図である。
図１０では、図９に示すような検索条件記載欄５１のウィンドゥと概要一覧５２のウィンドゥとが表示されているモニター上に、検索キー一覧５３のウィンドゥが表示された場面を示しており、利用者は３つのウィンドゥを同一モニター上で参照しながら、マウス等で操作ウィンドゥを切り替えることができる。
【００５１】
ここでは、検索キー一覧表示部４６は、図７（ａ）〜（ｃ）に示すようなそれぞれの項目毎に１位から１０位までの検索キー一覧を示すデータを受信して、それぞれの項目毎に上位５位までを表示している。
検索キー選択部４７は、利用者から検索キーの選択を受付けて、検索条件入力部４３に渡す。
【００５２】
例えば利用者は、図１０に示す検索キー一覧５３を参照して、検索キー一覧５３中のチェック欄にマウス等でマークを付けて検索キーを選択する。
ここで検索条件入力部４３は、検索キー選択部４７から渡された検索キーを用いた検索条件を特許情報検索部２３に送信する。
例えば、利用者が検索キー一覧５３中のチェック欄にマークを付けて検索キーを選択した後に検索項目毎に貼り付けボタンをクリックすると、検索条件入力部４３が、その検索項目のマークを付けられた検索キーを検索条件記載欄５１に貼り付ける。
【００５３】
検索結果出力部４８は、特許情報検索部２３から特許情報を受信して出力する。例えば、特許情報を利用者装置４０のモニターに表示したり、またプリントアウトする。
＜動作＞
図１１は、本発明の実施の形態の検索システムにおいて、特許情報を検索する動作の手順を示す図である。
【００５４】
以下に、図１１を用いて特許情報を検索する動作の手順を説明する。
（１）利用者装置４０において、ユーザＩＤ入力部４１が利用者にユーザＩＤの入力を促し、利用者がユーザＩＤを入力すると、ユーザＩＤ入力部４１が当該ユーザＩＤを検索サービス提供装置２０に送信する（ステップＳ１）。
（２）検索サービス提供装置２０において、ユーザ認証部２１がユーザＩＤを受信し、利用者の認証を行う（ステップＳ２）。
【００５５】
（３）正規の利用者であると認証されなかった場合には、ユーザ認証部２１がその旨を返信し、利用者装置４０がその旨を利用者に表示する（ステップＳ３）。
（４）正規の利用者であると認証された場合には、ユーザ認証部２１が記載欄表示指示部２２に起動を許可する（ステップＳ４）。
（５）記載欄表示指示部２２が、記載欄表示部４２へ検索条件記載欄の表示を指示する（ステップＳ５）。
【００５６】
（６）利用者装置４０において、記載欄表示部４２が検索条件記載欄を表示して利用者に記入を促す（ステップＳ６）。
（７）検索条件入力部４３が利用者からの検索条件の入力を受付ける（ステップＳ７）。
（８）利用者から検索条件の入力が受付けられた場合には、検索条件入力部４３が、受付けた検索条件を特許情報検索部２３に送信する（ステップＳ８）。
【００５７】
（９）検索サービス提供装置２０において、特許情報検索部２３が検索条件を受信して、検索条件に合致した特許情報を特許情報実体データ記録部１０から検索して概要一覧生成部２４に渡す（ステップＳ９）。
（１０）概要一覧生成部２４が、特許情報検索部２３により検索された特許情報の概要一覧を生成して概要一覧表示部４４に送信する（ステップＳ１０）。
【００５８】
（１１）利用者装置４０において、概要一覧表示部４４が特許情報の概要一覧を受信して当該概要一覧を表示し、利用者に選択を促す（ステップＳ１１）。
（１２）ファイル選択部４５が、利用者から検索キーの抽出対象である特許情報の選択、及び、出力対象である特許情報の選択のいずれかを受付ける（ステップＳ１２）。
（１３）ファイル選択部４５が検索キーの抽出対象である特許情報の選択を受付けた場合には、検索キーの抽出対象である特許情報を示す抽出対象識別情報を検索キー抽出部２５に送信する（ステップＳ１３）。
【００５９】
（１４）検索キー抽出部２５が抽出対象識別情報を受信して、当該抽出対象識別情報により示される特許情報から検索キーを抽出する（ステップＳ１４）。
（１５）検索キー一覧生成部２６が、検索キー抽出部２５により抽出された検索キーの一覧を生成して検索キー一覧表示部４６に送信する（ステップＳ１５）。
（１６）利用者装置４０において、検索キー一覧表示部４６が検索キー一覧を受信して当該検索キー一覧を表示し、利用者に選択を促す（ステップＳ１６）。
【００６０】
（１７）検索キー選択部４７が、利用者から検索キーの選択を受付けて、検索条件入力部４３に渡す（ステップＳ１７）。
（１８）検索条件入力部４３が、検索キー選択部４７から渡された検索キーを用いた検索条件を特許情報検索部２３に送信する（ステップＳ１８）。
（１９）ファイル選択部４５が出力対象である特許情報の選択を受付けた場合には、出力対象である特許情報を示す出力対象識別情報を特許情報検索部２３に送信する（ステップＳ１９）。
【００６１】
（２０）特許情報検索部２３が、出力対象識別情報を受信して、当該出力対象識別情報により示される特許情報を検索して検索結果出力部４８に送信する（ステップＳ２０）。
（２１）検索結果出力部４８が、特許情報を受信して出力する（ステップＳ２１）。
以上のように、本発明の実施の形態によれば、一旦検索した特許情報から検索キーを抽出して、再び、抽出した検索キー用いて特許情報を検索することができるので、適切な検索条件を比較的容易に探し出すことができる。
【００６２】
なお、本発明の実施の形態では、特許情報の検索システムを例にとって説明したが、特許情報に限らず任意の検索システムであってもよい。
また、本発明の実施の形態では、多くの機能を同時に実現する例を記載しているが、当然ながら一部の機能を省略することもできる。
例えば本発明の実施の形態では、検索された特許情報の概要一覧を表示して利用者に特許情報の選択を促した後に、選択された特許情報から検索キーを抽出しているが、特許情報の選択なしで検索された特許情報の全てから検索キーを抽出してもよい。この場合には、ファイル選択部４５は利用者から検索キーの抽出対象である特許情報の選択を受付ける必要がなく、また、概要一覧表示部４４は検索キーの抽出対象である特許情報の選択の為に特許情報の概要一覧を表示して特許情報の選択を促す必要もない。
【００６３】
また例えば本発明の実施の形態では、抽出された検索キー一覧を表示して利用者に検索キーの選択を促した後に、選択された検索キーを用いた検索条件で特許情報を検索しているが、検索キーの選択なしで抽出された検索キーのうちの上位のものを用いた検索条件で特許情報を検索してもよい。この場合には、検索キー選択部４７はは利用者から検索キーの選択を受付ける必要がなく、また、検索キー一覧表示部４６は検索キーの選択の為に検索キー一覧を表示して検索キーの選択を促す必要もない。
【産業上の利用可能性】
【００６４】
本発明は、各種情報のデータ検索に適用することができる。特に特許情報の検索に用いれば、ＩＰＣ、ＦＩ、Ｆターム等の分類記号を検索条件として使いこなすことができるので、従来よりも精度の高い検索を行うことができ、また、検索結果を絞り込むことや検索漏れを減らすことができるので、検索精度が高くなり所望のデータファイルを検索し易くなるという優れた利点がある。
【図面の簡単な説明】
【００６５】
【図１】本発明の実施の形態の検索システムを含むネットワークの概略を示す図である。
【図２】本発明の実施の形態の検索システムの詳細な構成を示す図である。
【図３】特許情報実体データ記録部１０に記録されたデータベースの概要の一例を示す図である。
【図４】特許情報実体データ記録部１０に記録された特許情報の表示例を示す図である。
【図５】図５（ａ）は、検索条件入力部４３により送信される検索条件を示すデータの概要を示す図である。
【００６６】
図５（ｂ）は、特許情報検索部２３により送信される件数を含むデータの概要を示す図である。
【図６】図６（ａ）は、概要一覧生成部２４により送信される特許情報の概要一覧を示すデータの概要を示す図である。
【００６７】
図６（ｂ）は、ファイル選択部４５により送信される抽出対象識別情報及び出力対象識別情報の概要を示す図である。
【図７】図７（ａ）は、検索キー一覧生成部２６により送信される検索キーの一覧を示すＩＰＣに関するデータの概要を示す図である。
【００６８】
図７（ｂ）は、検索キー一覧生成部２６により送信される検索キーの一覧を示すＦタームに関するデータの概要を示す図である。
図７（ｃ）は、検索キー一覧生成部２６により送信される検索キーの一覧を示す要約に関するデータの概要を示す図である。
【図８】記載欄表示部４２により利用者装置４０のモニター（図示せず）上に検索条件記載欄のウィンドゥが表示された例を示す図である。
【図９】概要一覧表示部４４により利用者装置４０のモニター上に概要一覧のウィンドゥが表示された例を示す図である。
【図１０】検索キー一覧表示部４６により利用者装置４０のモニター上に検索キー一覧のウィンドゥが表示された例を示す図である。
【図１１】本発明の実施の形態の検索システムにおいて、特許情報を検索する動作の手順を示す図である。
【符号の説明】
【００６９】
１    外付けハードディスク
２    Ｗｅｂサーバ
３    イントラネット
４    利用者コンピュータ
５    利用者コンピュータ
１０    特許情報実体データ記録部
２０    検索サービス提供装置
２１    ユーザ認証部
２２    記載欄表示指示部
２３    特許情報検索部
２４    概要一覧生成部
２５    検索キー抽出部
２６    検索キー一覧生成部
３０    ネットワーク部
４０    利用者装置
４１    ユーザＩＤ入力部
４２    記載欄表示部
４３    検索条件入力部
４４    概要一覧表示部
４５    ファイル選択部
４６    検索キー一覧表示部
４７    検索キー選択部
４８    検索結果出力部
【図１】
2004158002.tif 000003
【図２】
2004158002.tif 000004
【図３】
2004158002.tif 000005
【図４】
2004158002.tif 000006
【図５】
2004158002.tif 000007
【図６】
2004158002.tif 000008
【図７】
2004158002.tif 000009
【図８】
2004158002.tif 000010
【図９】
2004158002.tif 000011
【図１０】
2004158002.tif 000012
【図１１】
2004158002.tif 000013